(57)【要約】【課題】簡易な構成で、電池の残量を正確に表示可能とすること。【解決手段】子機３は、電池３７と、主制御部３１と、を備える。主制御部３１は、子機３の動作状態に応じて、電池３７の累計カウントを増減する。主制御部３１は、電池３７が充電されていない場合、電池３７の電圧と、電池３７の累計カウントと、に基づいて、電池３７の残量を表示する。主制御部３１は、電池３７が充電されている場合、電池３７の累計カウントのみに基づいて、電池３７の残量を表示する。【選択図】図６
2020051765.tif 000002
【特許請求の範囲】
【請求項１】
電池と、
制御部と、を備え、
前記制御部は、自機器の動作状態に応じて、前記電池の累計値を増減し、
前記電池の電圧と、前記電池の累計値と、に基づいて、前記電池の残量を表示することを特徴とする電子機器。
【請求項２】
前記制御部は、
前記電池が充電されていない場合、前記電池の電圧と、前記電池の累計値と、に基づいて、前記電池の残量を表示し、
前記電池が充電されている場合、前記電池の累計値のみに基づいて、前記電池の残量を表示することを特徴とする請求項１に記載の電子機器。
【請求項３】
前記制御部は、前記電池の電圧に応じて、前記電池の累計値を補正することを特徴とする請求項１又は２に記載の電子機器。
【請求項４】
電池と、
制御部と、を備え、
前記制御部は、
自機器の動作状態に応じて、前記電池の累計値を増減し、
前記累計値に基づいて、前記電池の残量を表示し、
前記電池の電圧に応じて、前記電池の累計値を補正することを特徴とする電子機器。
【請求項５】
前記制御部は、
前記電池が充電されていない場合、前記電池の電圧に応じて、前記電池の累計値を補正し、
前記電池が充電されている場合、前記電池の累計値を補正しないことを特徴とする請求項４に記載の電子機器。
【請求項６】
電池を備える電子機器の制御方法であって、
自機器の動作状態に応じて、前記電池の累計値を増減し、
前記電池の電圧と、前記電池の累計値と、に基づいて、前記電池の残量を表示することを特徴とする電子機器の制御方法。
【請求項７】
電池を備える電子機器の制御方法であって、
自機器の動作状態に応じて、前記電池の累計値を増減し、
前記累計値に基づいて、前記電池の残量を表示し、
前記電池の電圧に応じて、前記電池の累計値を補正することを特徴とする電子機器の制御方法。
【発明の詳細な説明】
【技術分野】
【０００１】
本発明は、電池を備える電子機器、及び、電子機器の制御方法に関する。
【背景技術】
【０００２】
電池を備える電子機器において、電池の残量を表示するものがある。従来技術の電池残量表示は、例えば、電池電圧を検出し、機器の動作状態（通常駆動モード、省電力駆動モード）に応じて、残量表示を制御している（特許文献１参照。）。また、例えば、機器が、動作状態に応じた消費電流値を記憶しており、動作状態に応じた消費電流値と使用時間とを積算し、電池の全体容量から積算値を減算し、その値を残量として表示している（特許文献２参照。）。
【先行技術文献】
【特許文献】
【０００３】
【特許文献１】特開２００２−０５６９０１号公報
【特許文献２】特開平０５−３４１０２４号公報
【発明の概要】
【発明が解決しようとする課題】
【０００４】
しかしながら、電池電圧検出、又は、消費電流演算だけでは、実際の残量との誤差が生じる。特に、電池電圧検出だけであると、充電動作が加わると、誤差が大きくなり、適切な残量表示ができない。
【０００５】
本発明の目的は、簡易な構成で、電池の残量を正確に表示可能とすることである。
【課題を解決するための手段】
【０００６】
第１の発明の電子機器は、電池と、制御部と、を備え、前記制御部は、自機器の動作状態に応じて、前記電池の累計値を増減し、前記電池の電圧と、前記電池の累計値と、に基づいて、前記電池の残量を表示することを特徴とする。
【０００７】
本発明では、制御部は、電池の電圧と、電池の累計値と、に基づいて、電池の残量を表示する。これにより、電池の電圧のみ、消費電流演算のみでの電池残量表示に比べて、簡易な構成で、電池の残量を正確に表示することができる。
【０００８】
第２の発明の電子機器は、第１の発明の電子機器において、前記制御部は、前記電池が充電されていない場合、前記電池の電圧と、前記電池の累計値と、に基づいて、前記電池の残量を表示し、前記電池が充電されている場合、前記電池の累計値のみに基づいて、前記電池の残量を表示することを特徴とする。
【０００９】
第３の発明の電子機器は、第１又は第２の発明の電子機器において、前記制御部は、前記電池の電圧に応じて、前記電池の累計値を補正することを特徴とする。
【００１０】
本発明では、制御部は、電池の電圧に応じて、電池の累計値を補正する。これにより、過充電の抑制等に効果を発揮し、電池寿命を向上させることができる。
【００１１】
第４の発明の電子機器は、電池と、制御部と、を備え、前記制御部は、自機器の動作状態に応じて、前記電池の累計値を増減し、前記累計値に基づいて、前記電池の残量を表示し、前記電池の電圧に応じて、前記電池の累計値を補正することを特徴とする。
【００１２】
本発明では、制御部は、電池の電圧に応じて、電池の累計値を補正し、補正した累計値に基づいて、電池の残量を表示する。これにより、電池の電圧のみ、消費電流演算のみでの電池残量表示に比べて、簡易な構成で、電池の残量を正確に表示することができる。
【００１３】
第５の発明の電子機器は、第４の発明の電子機器において、前記制御部は、前記電池が充電されていない場合、前記電池の電圧に応じて、前記電池の累計値を補正し、前記電池が充電されている場合、前記電池の累計値を補正しないことを特徴とする。
【００１４】
第６の発明の電子機器の制御方法は、電池を備える電子機器の制御方法であって、自機器の動作状態に応じて、前記電池の累計値を増減し、前記電池の電圧と、前記電池の累計値と、に基づいて、前記電池の残量を表示することを特徴とする。
【００１５】
第７の発明の電子機器の制御方法は、電池を備える電子機器の制御方法であって、自機器の動作状態に応じて、前記電池の累計値を増減し、前記累計値に基づいて、前記電池の残量を表示し、前記電池の電圧に応じて、前記電池の累計値を補正することを特徴とする。
【発明の効果】
【００１６】
本発明によれば、簡易な構成で、電池の残量を正確に表示することができる。
【図面の簡単な説明】
【００１７】
【図１】本発明の実施形態に係る電話機の外観を示す斜視図である。
【図２】本発明の実施形態に係る電話機の構成を示すブロック図である。
【図３】子機の動作状態に応じたカウント値を例示する表である。
【図４】電池の残量表示を示す図である。
【図５】電池の充放電特性を示す図である。
【図６】子機の電池が充電されていないスタンバイ状態での電話機の処理動作を示すフローチャートである。
【図７】子機の電池が充電されているスタンバイ状態での電話機の処理動作を示すフローチャートである。
【発明を実施するための形態】
【００１８】
以下、本発明の実施形態について説明する。図１は、本発明の実施形態に係る電話機の外観を示す斜視図である。図１に示すように、電話機１（電子機器）は、親機２と、子機３と、を備える。図１では、親機２に子機３が載置されている。本実施形態では、親機２は、充電台を兼ねている。親機２に子機３が載置されている場合、子機３は、親機２により充電される。なお、子機３が満充電状態である場合、子機３には、親機２から電圧が印加（給電）されるが、子機３は、充電されない。また、電話機１の形状は、図１に限られるものではない。
【００１９】
図２は、本発明の実施形態に係る電話機の構成を示すブロック図である。図２に示すように、親機２は、主制御部２１と、ＲＡＭ（Random Access Memory）２２と、不揮発性メモリ２３と、公衆回線制御部２４と、無線部２５と、を備える。
【００２０】
主制御部２１は、不揮発性メモリ２３に記憶されている制御プログラムに従って、親機２を構成する各部を制御する。ＲＡＭ２２は、主制御部２１の主メモリとして機能する。不揮発性メモリ２３は、制御プログラム等を記憶している。公衆回線制御部２４は、公衆回線を制御して、電話を掛ける、電話を切る処理を行う。公衆回線制御部２４は、公衆回線に接続されている。主制御部２１は、公衆回線制御部２４を制御して、他の電話機と通話を行うことができる。無線部２５は、子機３と無線通信を行う。
【００２１】
図２に示すように、子機３は、主制御部３１と、ＲＡＭ３２と、不揮発性メモリ３３と、表示部３４と、無線部３５と、充電回路３６と、電池３７と、を備える。
【００２２】
主制御部３１は、不揮発性メモリ３３に記憶されている制御プログラムに従って、子機３を構成する各部を制御する。ＲＡＭ３２は、主制御部３１の主メモリとして機能する。不揮発性メモリ３３は、制御プログラム等を記憶している。表示部３４は、着信のあった電話番号、電池３７の残量等を表示するＬＣＤ等を有する。無線部３５は、親機２と無線通信を行う。充電回路３６は、親機２から印加される電圧によって、電池３７を充電する。電池３７は、子機３を構成する各部に電源電圧を供給する。主制御部３１は、電池３７の電圧を検出する。
【００２３】
主制御部３１は、子機３の動作状態（消費電流）に応じて、電池３７の累計カウント（累計値）を増減する。ここで、「子機３の動作」とは、通話中、ＬＣＤへの電話番号表示、電池３７の充電等の動作である。不揮発性メモリ３３には、子機３の動作状態に応じたカウント値が記憶されている。主制御部３１は、動作状態に応じて予め設定した更新時間毎（数ｍｓｅｃ）に演算し、累計カウントを増減させる。
【００２４】
図３は、子機３の動作状態に応じたカウント値を例示する表である。図３に示すように、最大カウント値は、１００００である。主制御部３１は、消費カウント大に相当する動作を行った場合、累計カウントから、１０を引く（−１０）。主制御部３１は、消費カウント中に相当する動作を行った場合、累計カウントから、５を引く（−５）。主制御部３１は、消費カウント小に相当する動作を行った場合、累計カウントから、１を引く（−１）。電池３７が充電されている場合、主制御部３１は、累計カウントに、１０を足す。
【００２５】
図４は、電池３７の残量表示を示す図である。主制御部３１は、電池３７の残量を、表示部３４に表示する。主制御部３１は、例えば、電池３７の残量を、３段階で表示する。図４（ａ）は、残量が最も多い状態（電池残量３）、図４（ｂ）は、残量が真ん中である状態（電池残量２）、図４（ｃ）は、残量が最も少ない状態（電池残量１）を示している。
【００２６】
図５は、電池の充放電特性を示す図である。図５に示すように、電池は、充電と放電とで異なる電圧特性を有しており、何れもリニアな特性ではない。特に、充電時、残量なしからでも、充電開始後、間もなく、装置が動作するのに十分な電圧値となる。しかし、残量は、十分ではなく、装置が動作するのに、適した残量とは言えない。従って、充電時は、電池電圧だけで、残量表示を行うのは適当ではない。このため、主制御部３１は、累計カウントを算出し、累計カウントに基づいて、電池残量を表示する。
【００２７】
以下、子機３が親機２に載置されておらず、子機３の電池３７が充電されていないスタンバイ状態での電話機１の処理動作を、図６に示すフローチャートに基づいて説明する。子機３の主制御部３１は、低電圧を検出しているか否か、すなわち、電池３７の電圧が２．０Ｖ以下であるか否かを判断する（Ｓ１）。主制御部３１は、低電圧を検出している、すなわち、電池３７の電圧が２．０Ｖ以下であると判断した場合（Ｓ１：Ｙｅｓ）、子機３の電源をオフする（Ｓ２）。主制御部３１は、低電圧を検出していない、すなわち、電池３７の電圧が２．０Ｖ以下でないと判断した場合（Ｓ１：Ｎｏ）、検出している電池３７の電圧が、２．２Ｖ以上であるか否かを判断する（Ｓ３）。
【００２８】
主制御部３１は、検出している電池３７の電圧が、２．２Ｖ以上でないと判断した場合（Ｓ３：Ｎｏ）、低充電状態であるとの警告を表示する（Ｓ４）。また、主制御部３１は、「累計カウント＝０」に設定する（Ｓ１５）。主制御部３１は、検出している電池３７の電圧が、２．２Ｖ以上であると判断した場合（Ｓ３：Ｙｅｓ）、累計カウントが３０００以上であり、且つ、検出している電池３７の電圧が、２．４Ｖ以上であるか否かを判断する（Ｓ５）。主制御部３１は、累計カウントが３０００以上である、検出している電池３７の電圧が、２．４Ｖ以上である、という２つの条件のいずれか一方、又は、両方の条件を満たしていないと判断した場合（Ｓ５：Ｎｏ）、電池残量として、「１」を表示する（Ｓ６）（図４（ｃ）参照。）。
【００２９】
次に、主制御部３１は、検出している電池３７の電圧が、２．４Ｖ以下であるか否かを判断する（Ｓ７）。主制御部３１は、検出している電池３７の電圧が、２．４Ｖ以下であると判断した場合（Ｓ７：Ｙｅｓ）、累計カウントを２０００に設定する（Ｓ８）。また、主制御部３１は、累計カウントが３０００以上であり、且つ、検出している電池３７の電圧が、２．４Ｖ以上であると判断した場合（Ｓ５：Ｙｅｓ）、累計カウントが６０００以上であり、且つ、検出している電池３７の電圧が、２．６Ｖ以上であるか否かを判断する（Ｓ９）。主制御部３１は、累計カウントが６０００以上である、検出している電池３７の電圧が、２．６Ｖ以上である、という２つの条件のいずれか一方、又は、両方の条件を満たしていないと判断した場合（Ｓ９：Ｎｏ）、電池残量として、「２」を表示する（Ｓ１０）（図４（ｂ）参照。）。
【００３０】
次に、主制御部３１は、検出している電池３７の電圧が、２．６Ｖ以下であるか否かを判断する（Ｓ１１）。主制御部３１は、検出している電池３７の電圧が、２．６Ｖ以下であると判断した場合（Ｓ１１：Ｙｅｓ）、累計カウントを５０００に設定する（Ｓ１２）。また、主制御部３１は、累計カウントが６０００以上であり、且つ、検出している電池３７の電圧が、２．６Ｖ以上であると判断した場合（Ｓ９：Ｙｅｓ）、電池残量として、「３」を表示する（Ｓ１３）（図４（ａ）参照。）。また、主制御部３１は、累計カウントを「８０００」に設定する（Ｓ１６）。
【００３１】
主制御部３１は、Ｓ１５、Ｓ８、Ｓ１２、Ｓ１６の処理の後、検出している電池３７の電圧が、２．４Ｖ以下でないと判断した場合（Ｓ７：Ｎｏ）、検出している電池３７の電圧が、２．６Ｖ以下でないと判断した場合（Ｓ１１：Ｎｏ）、電池３７の充電を検出しているか否かを判断する（Ｓ１４）。主制御部３１は、電池３７の充電を検出していないと判断した場合（Ｓ１４：Ｎｏ）、Ｓ１の処理を実行する。主制御部３１は、電池３７の充電を検出していると判断した場合（Ｓ１４：Ｙｅｓ）、子機３が親機２に載置され、子機３の電池３７が充電されているスタンバイ状態であるため、図７のフローチャートが示す処理を実行する。
【００３２】
以下、子機３が親機２に載置されており、子機３の電池３７が充電されているスタンバイ状態での電話機１の処理動作を、図７に示すフローチャートに基づいて説明する。子機３の主制御部３１は、低電圧を検出しているか否か、すなわち、電池３７の電圧が２．０Ｖ以下であるか否かを判断する（Ｓ２１）。主制御部３１は、低電圧を検出している、すなわち、電池３７の電圧が２．０Ｖ以下であると判断した場合（Ｓ２１：Ｙｅｓ）、子機３の電源をオフする（Ｓ２２）。主制御部３１は、低電圧を検出していない、すなわち、電池３７の電圧が２．０Ｖ以下でないと判断した場合（Ｓ２１：Ｎｏ）、累計カウントが５００以上であるか否かを判断する（Ｓ２３）。
【００３３】
主制御部３１は、累計カウントが、５００以上でないと判断した場合（Ｓ２３：Ｎｏ）、低充電状態であるとの警告を表示する（Ｓ２４）。主制御部３１は、累計カウントが、５００以上であると判断した場合（Ｓ２３：Ｙｅｓ）、累計カウントが３０００以上であるか否かを判断する（Ｓ２５）。主制御部３１は、累計カウントが３０００以上でないと判断した場合（Ｓ２５：Ｎｏ）、電池残量として、「１」を表示する（Ｓ２６）（図４（ｃ）参照。）。
【００３４】
主制御部３１は、累計カウントが、３０００以上であると判断した場合（Ｓ２５：Ｙｅｓ）、累計カウントが、６０００以上であるか否かを判断する（Ｓ２７）。主制御部３１は、累計カウントが、６０００以上でないと判断した場合（Ｓ２７：Ｎｏ）、電池残量として、「２」を表示する（Ｓ２８）（図４（ｂ）参照。）。主制御部３１は、累計カウントが、６０００以上であると判断した場合（Ｓ２７：Ｙｅｓ）、電池残量として、「３」を表示する（Ｓ２９）（図４（ａ）参照。）。
【００３５】
主制御部３１は、Ｓ２４、Ｓ２６、Ｓ２８、Ｓ２９の処理の後、電池３７の充電を検出しているか否かを判断する（Ｓ３０）。主制御部３１は、電池３７の充電を検出していると判断した場合（Ｓ３０：Ｙｅｓ）、Ｓ２３の処理を実行する。主制御部３１は、電池３７の充電を検出していないと判断した場合（Ｓ３０：Ｎｏ）、子機３が親機２に載置されておらず、子機３の電池３７が充電されていないスタンバイ状態であるため、図６のフローチャートが示す処理を実行する。
【００３６】
電池３７の充電時、主制御部３１は、累計カウントのみに基づいて、電池３７の残量を表示する。主制御部３１は、累計カウントが、５００以上３０００未満であれば、電池３７の残量として、「１」を表示する（図４（ｃ）参照。）。また、主制御部３１は、累計カウントが、３０００以上６０００未満であれば、電池３７の残量として、「２」を表示する（図４（ｂ）参照。）。また、主制御部３１は、累計カウントが、６０００以上であれば、電池３７の残量として、「３」を表示する（図４（ａ）参照。）。また、電池３７の充電時、主制御部３１は、累計カウントを補正しない。
【００３７】
一方、電池３７の非充電時、主制御部３１は、電池３７の電圧と、累計カウントと、に基づいて、電池３７の残量を表示する。主制御部３１は、累計カウントが、３０００以上であっても、電池３７の電圧が、２．４Ｖ以上でなければ、電池３７の残量として、「１」を表示する（図４（ｃ）参照。）。主制御部３１は、電池３７の電圧が、２．４Ｖ以下であれば、累計カウントを、２０００に補正する。また、主制御部３１は、累計カウントが、６０００以上であっても、電池３７の電圧が、２．６Ｖ以上でなければ、電池３７の残量として、「２」を表示する（図４（ｂ）参照。）。主制御部３１は、電池３７の電圧が、２．６Ｖ以下であれば、累計カウントを、５０００に補正する。また、主制御部３１は、累計カウントが、６０００以上であり、且つ、電池３７の電圧が、２．６Ｖ以上であれば、電池３７の残量として、「３」を表示する（図４（ａ）参照。）。
【００３８】
以上説明したように、本実施形態では、主制御部３１は、電池３７の電圧と、電池３７の累計カウントと、に基づいて、電池３７の残量を表示する。これにより、電池の電圧のみ、消費電流演算のみでの電池残量表示に比べて、簡易な構成で、電池の残量を正確に表示することができる。
【００３９】
また、本実施形態では、主制御部３１は、電池３７の電圧に応じて、電池３７の累計カウントを補正する。これにより、過充電の抑制等に効果を発揮し、電池寿命を向上させることができる。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、電池３７の非充電時、主制御部３１は、電池３７の電圧と、電池３７の累計カウントと、に基づいて、電池３７の残量を表示する。これに限らず、電池３７の非充電時、主制御部３１は、累計カウントのみに基づいて、電池３７の残量を表示するようになっていてもよい。この場合、主制御部３１は、電池３７の電圧に応じて、累計カウントを補正する。
【００４２】
上述の実施形態においては、電池を備える電子機器として、電話機を例示した。これに限らず、電池を備えていれば、他の電子機器であってもよい。
【産業上の利用可能性】
【００４３】
本発明は、電池を備える電子機器、及び、電子機器の制御方法に好適に採用され得る。
【符号の説明】
【００４４】
１  電話機
２  親機
３  子機
３１  主制御部
３７  電池
【図１】
2020051765.tif 000003
【図２】
2020051765.tif 000004
【図３】
2020051765.tif 000005
【図４】
2020051765.tif 000006
【図５】
2020051765.tif 000007
【図６】
2020051765.tif 000008
【図７】
2020051765.tif 000009